(57)【要約】【課題】固定摘みを僅かに緩めてもスライドアームの急激なスライド移動を生じず、取り扱い容易で安全性の高いバランサの中継部のスライド構造等の提供。【解決手段】スライドアームに対する固定手段を備えたバランサの中継部構造であり、対向する側壁部間に枢軸を有するガイドローラを備え、ガイドローラの間にスライドアームの案内が可能な距離を確保し、ガイドローラはスライドアームを水平方向へ案内する位置に配置し、対向する側壁部を貫通する固定手段を備え、固定手段は雄螺子部を有する軸体の基端に摘み部を備え、軸体の先端側には抜け防止手段を備え、側壁部の内面側には当接部材を備え、該当接部材はスライドアームに対して弾性力を有する状態で当接可能となる弾性部と、固定手段の雄螺子部に対応する雌螺子穴を備え、前記軸体が差し込まれるコイルばねが前記当接部材を外方へ押圧した構成のバランサの中継部構造。【選択図】図１
2014004614.tif 000002
【特許請求の範囲】
【請求項１】
スライドアームに対する固定手段を備えたバランサの中継部構造において、
対向する側壁部間に枢軸を有する複数のガイドローラを備え、少なくとも二つの前記ガイドローラの間にスライドアームの案内が可能な距離を確保し、且つガイドローラは前記スライドアームを水平方向へ案内する位置に配置し、
前記対向する側壁部を貫通する前記固定手段を備え、該固定手段は雄螺子部を有する軸体の基端に摘み部を備え、また軸体の先端側には抜け防止手段を備え、
側壁部の内面側には当接部材を備え、該当接部材はスライドアームに対して弾性力を有する状態で当接可能となる弾性部と、前記固定手段の雄螺子部に対応する雌螺子穴を備え、
前記軸体が差し込まれるコイルばねが前記当接部材を外方へ押圧した構成とし、
摘み部を締め込むことで、雄螺子に対して螺合する雌螺子穴を有する当接部材がスライドアームを押圧する方向へ移動し、前記弾性部によりスライドアームを押圧保持することを特徴とするスライドアームに対する固定手段を備えたバランサの中継部構造。
【請求項２】
固定手段の軸体が通る貫通穴を有する挟持部材を上記当接部材に対向して側壁部の内側に設け、摘み部を締め込むことで、当接部材の弾性部と前記挟持部材とによってスライドアームを挟持固定することを特徴とするスライドアームに対する固定手段を備えた請求項１記載のバランサの中継部構造。
【請求項３】
当接部材の弾性部と挟持部材との間にコイルばねを配置し、挟持部材の貫通穴とコイルばね内と当接部材の雌螺子穴とを固定手段の軸体が連通した構成としたことを特徴とする請求項１又は２記載のバランサの中継部構造。
【請求項４】
請求項１、２又は３記載のバランサの中継部構造を備えたバランサ。
【請求項５】
請求項１、２又は３記載のバランサの中継部構造を備えたバランサを有する溶接機。
【発明の詳細な説明】
【技術分野】
【０００１】
本発明は、主としてスライドアームを固定するバランサの中継部構造と、該中継部構造を有するバランサ、並びに、当該バランサを備えた溶接機に関するものである。
【背景技術】
【０００２】
従来、車両の製造工程等において各部の溶接を行うための手段としてポータブル溶接機が使用される。これらのポータブル溶接機は、トランスを内蔵する本体から溶接ガンに至るまでの配線類を吊下し、本体を転倒させることなく、重量物である溶接ガンを人手により保持する際の作業負担を軽減し、且つ、溶接時に電極に荷重を付加するために、バランサが設けられている。
【０００３】
バランサの形状は多様なものが開発されている。バランサの使用により上記した作業負担の軽減等が実現されるものの、車両の溶接箇所によっては、バランサの使用が作業の妨げとなることがある。例えば、車両後部のトランクルーム枠等のような溶接箇所においては、開閉扉部を開放した状態で当該開閉扉部がバランサの進入を阻害する場合等である。
【０００４】
このような条件下において比較的良好に使用できる溶接機に用いられるバランサとしては、中継部にスライド構造を有し、スライドアームを備えるものがある。
【０００５】
このようなものとしては、例えば、バランサ（文献構成中における中継部）に設けられた固定摘みで溶接ガンに連結されたスライドアームを固定する構成が公知である（例えば、特許文献１参照。）。
【先行技術文献】
【特許文献】
【０００６】
【特許文献１】実開平４−１０４２７８号公報
【発明の概要】
【発明が解決しようとする課題】
【０００７】
しかし、上記特許文献１に開示されるような従来のバランサの中継部のスライド構造は、単純に固定摘みでスライドアームを押圧固定する構成である。
このため、スライドアームを適切な位置に移動させる際に固定摘みを僅かに緩めると途端に溶接ガンの重量等によってスライドアームが勢いよくスライドし、溶接ガンを他のもの（例えば、前記車両等や作業者）に衝突させることがあり、作業において危険性を生じることがあった。
【０００８】
本発明は以上の事情に鑑みてなされたものであり、固定摘みを僅かに緩めてもスライドアームの急激なスライド移動を生じず、更に、車両後部のトランクルーム枠等のような溶接箇所において開放された開閉扉部によってバランサの進入を阻害されることもなく、取り扱い容易で安全性の高い優れたバランサの中継部のスライド構造と、それを備えたバランサ及び溶接機の提供を、発明が解決しようとする課題とするものである。
【課題を解決するための手段】
【０００９】
請求項１に係る発明は、スライドアームに対する固定手段を備えたバランサの中継部構造において、対向する側壁部間に枢軸を有する複数のガイドローラを備え、少なくとも二つの前記ガイドローラの間にスライドアームの案内が可能な距離を確保し、且つガイドローラは前記スライドアームを水平方向へ案内する位置に配置し、前記対向する側壁部を貫通する前記固定手段を備え、該固定手段は雄螺子部を有する軸体の基端に摘み部を備え、また軸体の先端側には抜け防止手段を備え、側壁部の内面側には当接部材を備え、該当接部材はスライドアームに対して弾性力を有する状態で当接可能となる弾性部と、前記固定手段の雄螺子部に対応する雌螺子穴を備え、前記軸体が差し込まれるコイルばねが前記当接部材を外方へ押圧した構成とし、摘み部を締め込むことで、雄螺子に対して螺合する雌螺子穴を有する当接部材がスライドアームを押圧する方向へ移動し、前記弾性部によりスライドアームを押圧保持することを特徴とするスライドアームに対する固定手段を備えたバランサの中継部構造を、課題を解決するための手段とする。
【００１０】
また請求項２に係る発明によれば、上記構成に加えて、固定手段の軸体が通る貫通穴を有する挟持部材を上記当接部材に対向して側壁部の内側に設け、摘み部を締め込むことで、当接部材の弾性部と前記挟持部材とによってスライドアームを挟持固定する、スライドアームに対する固定手段を備えたバランサの中継部構造を、課題を解決するための手段とする。
【００１１】
また請求項３に係る発明によれば、当接部材の弾性部と挟持部材との間にコイルばねを配置し、挟持部材の貫通穴とコイルばね内と当接部材の雌螺子穴とを固定手段の軸体が連通した構成としたことを特徴とする請求項２記載のバランサの中継部構造を、課題を解決するための手段とする。
【００１２】
また請求項４に係る発明によれば、上記いずれかの中継部構造を備えたバランサを、課題を解決するための手段とする。
【００１３】
また請求項５に係る本発明によれば、上記いずれかの中継部構造を備えたバランサを有する溶接機を、課題を解決するための手段とする。
【発明の効果】
【００１４】
請求項１に係る発明によれば、摘み部を締め込んだ状態からスライドアームの固定を緩めるように少しずつ開放すると、スライドアームに対して押さえ付けられていた当接部材の弾性部がゆっくりと復元し、摘み部の解除方向への回し具合によって、スライドアームのスライドのスピードを調節することができる。このため、前記スライドアームの急激なスライドを防止し、作業安全性を確保することができる。
【００１５】
また請求項２に係る発明によれば、上記請求項１の構成を備えた上で、固定手段の軸体が通る貫通穴を有する挟持部材を上記当接部材に対向して側壁部の内側に設け、摘み部を締め込むことで、当接部材の弾性部と前記挟持部材とによってスライドアームを挟持固定することを特徴とするスライドアームに対する固定手段を備えたことから、上記請求項１と同様の作用効果を奏する上に、スライドアームの保持を強固に行うことができ、より安全性の高い構成とすることができる。
【００１６】
また請求項３に係る発明によれば、上記請求項２の構成を備えた上で、当接部材の弾性部と挟持部材との間にコイルばねを配置し、挟持部材の貫通穴とコイルばね内と当接部材の雌螺子穴とを固定手段の軸体が連通した構成としたことを特徴とする請求項２記載のバランサの中継部構造としたことから、上記請求項１又は２の作用効果を奏する上に、コイルばねの弾性力と固定手段の締め込みによって生ずる前記弾性力への反発力によって前記当接部材は位置の調節が可能でありながら、強固に位置を固定でき、安定した動作を実現することができる。
【００１７】
また、請求項４に係る発明によれば、上記構成請求項１から請求項３に開示した作用効果を奏する中継部構造を有するバランサを提供することができる。
【００１８】
また、請求項５に係る発明によれば、上記構成請求項１から請求項３に開示した作用効果を奏する中継部構造を有するバランサを有する溶接機を提供することができる。
【図面の簡単な説明】
【００１９】
【図１】本発明の実施例に係るバランサにおける中継部構造を示す右側面図である。
【図２】本発明の実施例に係るバランサにおける中継部構造を示す（ａ）Ａ−Ａ断面図、（ｂ）同中継部構造を示すＢ−Ｂ断面図である。
【図３】本発明の実施例に係るポータブル溶接ガンにおける（ａ）スライドアームが下降位置にある状態、（ｂ）スライドアームが上昇位置にある状態を示す説明図である。
【発明を実施するための形態】
【００２０】
本発明は、スライドアームに対する固定手段を備えたバランサの中継部構造において、対向する側壁部間に枢軸を有する複数のガイドローラを備え、少なくとも二つの前記ガイドローラの間にスライドアームの案内が可能な距離を確保し、且つガイドローラは前記スライドアームを水平方向へ案内する位置に配置し、前記対向する側壁部を貫通する前記固定手段を備え、該固定手段は雄螺子部を有する軸体の基端に摘み部を備え、また軸体の先端側には抜け防止手段を備え、側壁部の内面側には当接部材を備え、該当接部材はスライドアームに対して弾性力を有する状態で当接可能となる弾性部と、前記固定手段の雄螺子部に対応する雌螺子穴を備え、前記軸体が差し込まれるコイルばねが前記当接部材を外方へ押圧した構成とし、摘み部を締め込むことで、雄螺子に対して螺合する雌螺子穴を有する当接部材がスライドアームを押圧する方向へ移動し、前記弾性部によりスライドアームを押圧保持するスライドアームに対する固定手段を備え、摘み部を締め込んだ状態からスライドアームの固定を緩めるように少しずつ開放すると、スライドアームに対して押さえ付けられていた当接部材の弾性部がゆっくりと復元し、摘み部の締め込み具合によって、ゆっくりとスライドアームをスライドさせることができ、スライドアームの急激なスライドを防止し、作業安全性を確保することができ、固定手段の軸体が通る貫通穴を有する挟持部材を上記当接部材に対向して側壁部の内側に設け、摘み部を締め込むことで、当接部材の弾性部と前記挟持部材とによってスライドアームを挟持固定することでスライドアームの保持を強固に行うことができ、より安全性の高い構成とすることができる。
【実施例】
【００２１】
本発明の実施例に係るバランサＢの中継部１は、図３（ａ）（ｂ）に示すように、側面に取付けられる昇降用アームにより上下位置を変更することができるとともに、上下位置の変更に係らず金属製のスライドアーム２を水平方向に移動保持させることができるものである。以下、各構成について説明する。
【００２２】
本実施例に係る中継部１は、主として左右の金属製の中継板と、該中継板間に配置される枢軸１２を有する４本のガイドローラ１１と、雄螺子部を有する軸体１３０の基端に摘み部１３１を形成したスライドアーム２に対する固定手段１３と、該固定手段１３とともに使用されるコイルばね１４、当接部材１５、挟持部材１６を備える。
【００２３】
前記スライドアーム２は、図２に示すように断面視矩形輪郭を有する金属製中空部材から構成される。このため、当該スライドアーム２に対する前記ガイドローラ及び固定手段１３との接触は、いずれも面接触となり、ガイドローラによる十分なガイド機能、及び固定手段による十分な接触面積を確保した固定を行うことができる。
【００２４】
中継板は縦断面形状コの字の両端を内側へ当接片１０ａとして曲げた形状を有し、左右の当接片１０ａ相互を突き合わせ、ガイドローラ１１の枢軸１２及び固定手段１３の軸体１３０が左右の中継板を夫々連通し、図示省略した取付金具及びボルト・ナット等を用い、一体化したものである（図２（ａ）（ｂ））。左右の当接片１０ａは突き合わせ状態で全体の強度を向上させるリブとして効果を発揮する。
【００２５】
前記ガイドローラ１１は、上下方向にスライドアーム２をガイドするための所定寸法の距離を隔てて配置され、スライドアーム２の入側及び出側に同じ高さ位置で配置される。
また、図２に示すように、ガイドローラ１１は内部にベアリングを内蔵しており、円滑な回転が確保される。また本実施例におけるガイドローラ１１は図２（ａ）に示すように、枢軸１２の両端がいずれも雄螺子が形成されている。当該枢軸１２は側壁部１０の外面で雌螺子を有するナットで固定されている。
【００２６】
図２（ｂ）に示すように、固定手段１３は、先端側に雄螺子１３０ａを有する軸体１３０の基端に摘み部１３１を備えたものである。
【００２７】
側壁部１０の内側のうち、固定手段１３の摘み部１３１に近接する側には、挟持部材１６を配置し、固定手段１３の先端側に近接する側には当接部材１５を配置している。当接部材１５はその内側面のうちスライドアーム２と接触する箇所には弾性部１５０を設けている。
【００２８】
そして、固定手段１３を取付ける箇所においては、左右の側壁部１０及びその内側の前記挟持部材１６及び当接部材１５の全てに前記固定手段１３を通すための穴が形成されている。即ち、左右の側壁部１０には貫通穴１０ｂ、１０ｃ、挟持部材１６には貫通穴１６ａ、当接部材１５には雌螺子穴１５ａが夫々設けられている。
【００２９】
軸体１３０はその先端側から、一方の側壁部１０の貫通穴１０ｂ、挟持部材１６の貫通穴１６ａ、コイルばね１４の軸中心、当接部材１５の雌螺子穴１５ａ、他方の側壁部１０の貫通穴１０ｃを連通し、当該他方の側壁部１０の外部において、当該軸体１３０の先端側の雄螺子１３０ａにナット１７を取付けることで離脱不能な状態に形成される。
【００３０】
以上の構成によって、閉め込んだ状態から、固定手段１３の摘み部１３１を緩める方向（軸中心として左回り）に回転させると、コイルばね１４の弾性力と軸体１３０の雄螺子１３０ａ及び当接部材１５の雌螺子穴１５ａとの関係によってスライドアーム２とが離れるが、この際にすぐに接触状態が解消されるのではなく、当接部材１５における弾性部１５０が弾性変形しながら少しずつ離れるため、スライドアーム２との押圧力が少しずつ低下する。即ち、スライドアーム２に対して押さえ付けられていた当接部材１５の弾性部１５０がゆっくりと復元し、摘み部１３１の解除方向への回し具合によって、スライドアームのスライドのスピードを調節することができ、スライドアーム２の急激なスライドを防止することができる。
【００３１】
本実施例は以上の構成を基本としながら、図３に実施例として示す溶接機（溶接ガン及び配線は省略し、溶接機本体ＭとバランサＢを示す。以下同様とする。）において使用することができる。
【００３２】
実施例に示す溶接機は、溶接機本体Ｍからポール６を垂直に立設し、その上端部に昇降アーム３を連結し、該昇降アームの先端側を中継部１に連結した構成を有する。ポール６と昇降アーム３の間にはエアシリンダ７を設けている。スライドアーム２の先端側には、連結軸４０を使用して水平方向に回動可能な回動アーム４を連結し、その先端には、溶接ガンを吊下するための吊下手段を備えている。
【００３３】
上記構成によって、例えば、車両後部のトランクルームやバックドア等の開口枠のような溶接箇所においては、後部開閉扉部（若しくは開閉窓部等）を開放した状態で当該開閉扉部がバランサＢの進入を阻害する場合であっても、当該中継部１を昇降用アームを用いて低位置に配置した上で、スライドアーム２を利用することで、バランサＢは前記開閉扉部等と接触することなく、溶接ガンを溶接箇所まで移動させることができるため、容易に溶接作業を行うことができる。
【００３４】
そして、溶接作業において、上記したように、本発明の中継部１の構成によって、摘み部１３１の解除方向への回し具合によって、ゆっくりとスライドアーム２をスライドさせることができ、スライドアーム２の急激なスライドを防止することができ、安全性、作業性に優れたバランサＢ及び溶接機を提供することができる。
【００３５】
尚、本発明のバランサＢが用いられる溶接機は上記実施例に係るものに限らず、スライドアーム２から先端の構成は必要に応じて変更することができるし、昇降アーム３から溶接機本体に至る構成についても同様に必要に応じて変更することができる。
【００３６】
また、本発明における中継部は、上記実施例の構成に限るものではなく、ガイドローラの数は特に制限するものではなく、また上側のガイドローラと下側のガイドローラの数は同一でなくてもよく、例えば下側のガイドローラを二箇所、上側のガイドローラを一箇所（例えば、前後方向において中央位置）等とすることもできる。また、中継部の外面には、他物との接触時の破損等を防止するため、緩衝材を設けることもできる。
【符号の説明】
【００３７】
１        中継部
１０      側壁部
１０ａ    当接片
１０ｂ    貫通穴
１０ｃ    貫通穴
１１      ガイドローラ
１２      枢軸
１３      固定手段
１３０    軸体
１３０ａ  雄螺子
１３１    摘み部
１４      コイルばね
１５      当接部材
１５ａ    雌螺子穴
１５０    弾性部
１６      挟持部材
１７      ナット
１８      昇降アーム取付部
２        スライドアーム
３        昇降アーム
４        回動アーム
４０      連結軸
５        吊下手段
６        ポール
７        エアシリンダ
Ｂ        バランサ
Ｍ        溶接機本体
【図１】
2014004614.tif 000003
【図２】
2014004614.tif 000004
【図３】
2014004614.tif 000005